(57)【要約】【課題】処理が実行された画像の履歴情報を格納しておく際に、画像が蓄積された場合の履歴情報を格納する場合でも、重複した履歴情報を格納しないようにする。【解決手段】履歴情報格納部３３は、画像が蓄積された際の蓄積時の履歴情報（イメージログ）と、画像が出力された際の出力時の履歴情報（イメージログ）の両方の履歴情報を格納する。制御部３４は、画像が出力された場合に、出力された画像に対応する蓄積時の履歴情報を履歴情報格納部３３から削除するよう制御する。【選択図】図３
2020027505.tif 000002
【特許請求の範囲】
【請求項１】
画像が蓄積された際の蓄積時の履歴情報と、画像が出力された際の出力時の履歴情報とを格納する格納手段と、
画像が出力された場合に、出力された当該画像に対応する蓄積時の履歴情報を前記格納手段から削除するよう制御する制御手段と、
を備えた情報処理装置。
【請求項２】
前記制御手段は、画像が出力された場合に、出力された当該画像に対応する全ての蓄積時の履歴情報を前記格納手段から削除するよう制御する請求項１記載の情報処理装置。
【請求項３】
前記格納手段は、画像が蓄積または出力された際に、蓄積または出力された画像を前記履歴情報に含めて格納し、
前記制御手段は、蓄積時の履歴情報および出力時の履歴情報にそれぞれ含まれる画像どうしを比較することにより、出力された画像に対応する蓄積時の履歴情報を特定して削除するよう制御する請求項１又は２記載の情報処理装置。
【請求項４】
前記制御手段は、比較対象の２つの画像の各画素どうしの相関値を算出することにより、出力された画像に対応する蓄積時の履歴情報を特定して削除する請求項３記載の情報処理装置。
【請求項５】
前記制御手段は、出力時の履歴情報に含まれる属性情報および画像の特徴量が同じ蓄積時の履歴情報を前記格納手段から削除するよう制御する請求項１又は２記載の情報処理装置。
【請求項６】
前記格納手段に格納される履歴情報に含まれる属性情報は、操作者の情報又はファイル名に関する情報を含み、画像の特徴量は、データサイズ又は画像種別の情報を含む請求項５記載の情報処理装置。
【請求項７】
前記制御手段は、出力時の履歴情報に付与された識別情報と同一の識別情報が付与された蓄積時の履歴情報を前記格納手段から削除するよう制御する請求項１又は２記載の情報処理装置。
【請求項８】
画像が蓄積された際の蓄積時の履歴情報を格納手段に格納するステップと、
画像が出力された場合に、出力された当該画像に対応する蓄積時の履歴情報を格納手段から削除するよう制御するステップと、
画像が出力された際の出力時の履歴情報を前記格納手段に格納するステップと、
をコンピュータに実行させるためのプログラム。
【発明の詳細な説明】
【技術分野】
【０００１】
本発明は、情報処理装置およびプログラムに関する。
【背景技術】
【０００２】
特許文献１には、保存された文書に基づいて画像出力がおこなわれた場合、画像出力に用いられたログ画像やジョブチケット情報などからなるログ情報を解析し、ジョブチケット情報に従って元文書から生成された画像とログ画像との差分が閾値以下である場合には、差分画像を保存し、差分が閾値以上である場合には、ログ画像を保存するようにして、印刷出力の再現用に保存するデータ量を削減するようにした印刷記録管理装置が開示されている。
【０００３】
特許文献２には、１回の処理要求および１回の処理要求に基づいて実行される一連の処理であるエンティティに対してチケットを生成し、そのチケットが示す処理要求ごとにログ情報を省略して記録することで、容量を低減したログ情報を蓄積できる画像形成装置が開示されている。
【先行技術文献】
【特許文献】
【０００４】
【特許文献１】特開２００７−３０４７６１号公報
【特許文献２】特開２０１０−０６３０８７号公報
【発明の概要】
【発明が解決しようとする課題】
【０００５】
本発明の目的は、処理が実行された画像の履歴情報を格納しておく際に、画像が蓄積された場合の履歴情報を格納する場合でも、重複した履歴情報を格納しないようにすることが可能な情報処理装置およびプログラムを提供することである。
【課題を解決するための手段】
【０００６】
［情報処理装置］
請求項１に係る本発明は、画像が蓄積された際の蓄積時の履歴情報と、画像が出力された際の出力時の履歴情報とを格納する格納手段と、
画像が出力された場合に、出力された当該画像に対応する蓄積時の履歴情報を前記格納手段から削除するよう制御する制御手段とを備えた情報処理装置である。
【０００７】
請求項２に係る本発明は、前記制御手段が、画像が出力された場合に、出力された当該画像に対応する全ての蓄積時の履歴情報を前記格納手段から削除するよう制御する請求項１記載の情報処理装置である。
【０００８】
請求項３に係る本発明は、前記格納手段が、画像が蓄積または出力された際に、蓄積または出力された画像を前記履歴情報に含めて格納し、
前記制御手段は、蓄積時の履歴情報および出力時の履歴情報にそれぞれ含まれる画像どうしを比較することにより、出力された画像に対応する蓄積時の履歴情報を特定して削除するよう制御する請求項１又は２記載の情報処理装置である。
【０００９】
請求項４に係る本発明は、前記制御手段が、比較対象の２つの画像の各画素どうしの相関値を算出することにより、出力された画像に対応する蓄積時の履歴情報を特定して削除する請求項３記載の情報処理装置である。
【００１０】
請求項５に係る本発明は、前記制御手段が、出力時の履歴情報に含まれる属性情報および画像の特徴量が同じ蓄積時の履歴情報を前記格納手段から削除するよう制御する請求項１又は２記載の情報処理装置である。
【００１１】
請求項６に係る本発明は、前記格納手段に格納される履歴情報に含まれる属性情報は、操作者の情報又はファイル名に関する情報を含み、画像の特徴量は、データサイズ又は画像種別の情報を含む請求項５記載の情報処理装置である。
【００１２】
請求項７に係る本発明は、前記制御手段が、出力時の履歴情報に付与された識別情報と同一の識別情報が付与された蓄積時の履歴情報を前記格納手段から削除するよう制御する請求項１又は２記載の情報処理装置である。
【００１３】
［プログラム］
請求項８に係る本発明は、画像が蓄積された際の蓄積時の履歴情報を格納手段に格納するステップと、
画像が出力された場合に、出力された当該画像に対応する蓄積時の履歴情報を格納手段から削除するよう制御するステップと、
画像が出力された際の出力時の履歴情報を前記格納手段に格納するステップと、
をコンピュータに実行させるためのプログラムである。
【発明の効果】
【００１４】
請求項１に係る本発明によれば、処理が実行された画像の履歴情報を格納しておく際に、画像が蓄積された場合の履歴情報を格納する場合でも、重複した履歴情報を格納しないようにすることが可能な情報処理装置を提供することができる。
【００１５】
請求項２に係る本発明によれば、画像の出力時の履歴情報と重複する全ての履歴情報を格納しないようにすることが可能な情報処理装置を提供することができる。
【００１６】
請求項３に係る本発明によれば、処理が実行された画像の履歴情報を格納しておく際に、画像が蓄積された場合の履歴情報を格納する場合でも、出力された画像と同一の画像に対する重複した履歴情報を格納しないようにすることが可能な情報処理装置を提供することができる。
【００１７】
請求項４に係る本発明によれば、処理が実行された画像の履歴情報を格納しておく際に、画像が蓄積された場合の履歴情報を格納する場合でも、出力された画像と同一の画像に対する重複した履歴情報を格納しないようにすることが可能な情報処理装置を提供することができる。
【００１８】
請求項５に係る本発明によれば、処理が実行された画像の履歴情報を格納しておく際に、画像が蓄積された場合の履歴情報を格納する場合でも、属性情報および画像の特徴量が同一の重複した履歴情報を格納しないようにすることが可能な情報処理装置を提供することができる。
【００１９】
請求項６に係る本発明によれば、処理が実行された画像の履歴情報を格納しておく際に、画像が蓄積された場合の履歴情報を格納する場合でも、操作者又はファイル名および画像のデータサイズ又は画像種別が同一の重複した履歴情報を格納しないようにすることが可能な情報処理装置を提供することができる。
【００２０】
請求項７に係る本発明によれば、処理が実行された画像の履歴情報を格納しておく際に、画像が蓄積された場合の履歴情報を格納する場合でも、画像の一致判定を行うことなく、重複した履歴情報を格納しないようにすることが可能な情報処理装置を提供することができる。
【００２１】
請求項８に係る本発明によれば、処理が実行された画像の履歴情報を格納しておく際に、画像が蓄積された場合の履歴情報を格納する場合でも、重複した履歴情報を格納しないようにすることが可能なプログラムを提供することができる。
【図面の簡単な説明】
【００２２】
【図１】本発明の一実施形態の履歴管理システムのシステム構成を示す図である。
【図２】本発明の一実施形態における履歴管理サーバ１０のハードウェア構成を示すブロック図である。
【図３】本発明の一実施形態における履歴管理サーバ１０の機能構成を示すブロック図である。
【図４】端末装置４０にいて表示される検索操作画面例を示す図である。
【図５】認証プリント時における履歴情報の管理例を説明するための図である。
【図６】認証プリント以外の処理が行われる場合における履歴情報の管理例を説明するための図である。
【図７】本発明の一実施形態の履歴管理サーバ１０における履歴情報を削除する際の処理を説明するためのフローチャートである。
【図８】出力時の履歴情報に対応する蓄積時の履歴情報が削除される様子を説明するための図である。
【図９】履歴管理サーバ１０に送信する履歴情報に文書ＩＤを含めるようにした場合における、認証プリント時における履歴情報の管理例を説明するための図である。
【発明を実施するための形態】
【００２３】
次に、本発明の実施の形態について図面を参照して詳細に説明する。
【００２４】
図１は本発明の一実施形態の履歴管理システムの構成を示す図である。
【００２５】
本発明の一実施形態の履歴管理システムは、図１に示されるように、ネットワーク３０により相互に接続された履歴管理サーバ１０、複数の画像形成装置２０、管理者により操作される端末装置４０および一般ユーザにより操作される複数の端末装置５０により構成される。
【００２６】
画像形成装置２０は、印刷（プリント）機能、スキャン機能、複写（コピー）機能、ファクシミリ機能等の複数の機能を有するいわゆる複合機と呼ばれる装置である。
【００２７】
本実施形態の履歴管理システムは、このような複数の画像形成装置２０が設置されているような状態で、いつ、だれが、どの装置からどのような文書をコピー、プリント、ファクシミリ送信、スキャンしたのかが分かるようにするためのシステムである。
【００２８】
具体的には、画像形成装置２０では、コピー、スキャン、プリント等の各種処理が実行された際に、文書等の画像に対して実行した処理の種類、処理を行ったユーザ（操作者）、処理を行った時刻、処理が実行されたページ（頁）に関する情報等を、処理内容を表した履歴情報（イメージログ）として生成して履歴管理サーバ１０に送信する。
【００２９】
すると、履歴管理サーバ１０は、画像形成装置２０においてコピー、スキャン、プリント等の各種処理が実行された際に、処理が実行された画像と、処理を実行した操作者、日時、処理の種類、処理を行ったページ情報等を対応付けて履歴情報として取得して管理する。つまり、履歴管理サーバ１０は、画像形成装置２０において実行された処理の履歴を管理するための情報処理装置であり、情報漏洩等が発生した場合にはこの履歴を参照することにより情報漏洩の経路等を追跡することが可能となる。
【００３０】
このように履歴情報の管理が行われることにより、本実施形態の履歴管理システムによれば、情報漏洩の抑止や、情報漏洩が発生した際に、漏洩した情報の経路の追跡を可能としてトレーサビリティーの向上が図られる。
【００３１】
なお、端末装置４０は、例えばこのような履歴情報の管理を行っている管理者により操作され、履歴管理サーバ１０に蓄積されている履歴情報の閲覧、検索等を行う際に用いられる。
【００３２】
次に、本実施形態の画像形成システムにおける履歴管理サーバ１０のハードウェア構成を図２に示す。
【００３３】
履歴管理サーバ１０は、図２に示されるように、ＣＰＵ１１、メモリ１２、ハードディスクドライブ（ＨＤＤ）等の記憶装置１３、ネットワーク３０を介して外部の装置等との間でデータの送信及び受信を行う通信インタフェース（ＩＦ）１４、タッチパネル又は液晶ディスプレイ並びにキーボードを含むユーザインタフェース（ＵＩ）装置１５を有する。これらの構成要素は、制御バス１６を介して互いに接続されている。
【００３４】
ＣＰＵ１１は、メモリ１２または記憶装置１３に格納された制御プログラムに基づいて所定の処理を実行して、履歴管理サーバ１０の動作を制御する。なお、本実施形態では、ＣＰＵ１１は、メモリ１２または記憶装置１３内に格納された制御プログラムを読み出して実行するものとして説明するが、当該プログラムをＣＤ−ＲＯＭ等の記憶媒体に格納してＣＰＵ１１に提供することも可能である。
【００３５】
図３は、上記の制御プログラムが実行されることにより実現される履歴管理サーバ１０の機能構成を示すブロック図である。
【００３６】
本実施形態の履歴管理サーバ１０は、図３に示されるように、通信部３１と、履歴情報格納部３３と、制御部３４と、検索部３５を備えている。
【００３７】
通信部３１は、複数の画像形成装置２０や端末装置４０との間でデータの送受信を行っている。
【００３８】
制御部３４は、通信部３１を介して画像形成装置２０から、コピー、スキャン、プリント等の各種処理が実行された画像と、処理を実行した操作者、日時、処理の種類、処理を行ったページ情報等とが対応付けられた履歴情報を受け付ける。
【００３９】
履歴情報格納部３３は、制御部３４において受け付けられた履歴情報を格納する。つまり、履歴情報格納部３３は、画像形成装置２０においてある画像に対する処理が実行された場合に、処理が実行された画像と実行された処理内容とを対応付けて履歴情報として格納する。
【００４０】
検索部３５は、履歴情報格納部３３に格納されている履歴情報に対して、指定された条件に基づいて検索を行う。例えば、検索部３５は、図４に示すような検索操作画面を端末装置４０のディスプレイ上に表示して、この検索操作画面から入力された検索キーワード、検索対象のジョブ種別（処理の種類）、時刻範囲等に合致する履歴情報を履歴情報格納部３３に格納されている履歴情報の中から検索する。
【００４１】
図４に示した検索操作画面では、コピー、プリント等の全ての処理種類の履歴情報のうち、処理時刻が２０１８年１月１０日から２０１８年２月１０日であって、「極秘」という単語を含む文書を検索する場合が示されている。
【００４２】
制御部３４は、検索部３５による検索結果を端末装置４０に表示するよう制御する。
【００４３】
なお、本実施形態における履歴情報格納部３３は、画像が蓄積された際の蓄積時の履歴情報（イメージログ）と、画像が出力された際の出力時の履歴情報（イメージログ）の両方の履歴情報を格納する。
【００４４】
例えば、図５に示すような認証プリントと呼ばれるような印刷方法では、端末装置５０から画像形成装置２０に印刷ジョブが蓄積された後に、ユーザが画像形成装置２０において認証を行うことにより最終的にプリントが行われる。
【００４５】
このような場合、図５に示すように、端末装置５０から画像形成装置２０に印刷ジョブが蓄積された際に、蓄積時の履歴情報が画像形成装置２０から履歴管理サーバ１０に送信されて格納される。
【００４６】
そして、画像形成装置２０において認証が行われて実際のプリント処理が実行されると、出力時の履歴情報が画像形成装置２０から履歴管理サーバ１０に送信されて格納される。
【００４７】
ここで、蓄積時の履歴情報とは、画像形成装置２０において各種の文書等の画像が蓄積（保存、格納）された際の処理内容を示す全ての情報が該当する。また、出力時の履歴情報とは、画像形成装置２０からプリント（印刷）、ＦＡＸ送信、他の装置への転送等画像を外部に出力する際の処理内容を示す全ての情報が該当する。
【００４８】
このように、本実施形態の履歴管理システムにおいて、蓄積時の履歴情報と出力時の履歴情報の両方を格納するようにしているのは、例えばある機密文書をプリントしようとして画像形成装置２０に蓄積したが実際には印刷用紙上にプリントしなかったような未遂行為をも把握することができるようにするためのである。
【００４９】
つまり、あるユーザが端末装置５０上で印刷指示を行うことにより印刷ジョブが画像形成装置２０に蓄積されたことを示す蓄積時の履歴情報と、ユーザが画像形成装置２０で認証を行って蓄積されている印刷ジョブのプリントを実際に行ったことを示す出力時の履歴情報の両方を格納することにより禁止されている機密文書のプリントをしようとした未遂行為を後から追跡することが可能となる。
【００５０】
しかし、上述したような処理が行われた際に、機密文書のプリントが実際に行われた場合には出力時の履歴情報が履歴管理サーバ１０に格納されることになるため、蓄積時の履歴情報は不要となる。
【００５１】
そのため、本実施形態における履歴管理サーバ１０では、制御部３４は、画像が出力された場合に、出力された画像に対応する蓄積時の履歴情報を履歴情報格納部３３から削除するよう制御する。
【００５２】
なお、出力された画像に対応する履歴情報が履歴情報格納部３３に複数格納されている場合には、制御部３４は、画像が出力された場合、出力された画像に対応する全ての蓄積時の履歴情報を履歴情報格納部３３から削除するよう制御する。
【００５３】
なお、履歴情報格納部３３は、画像が蓄積または出力された際に、蓄積または出力された画像を履歴情報に含めて格納する。
【００５４】
そのため、制御部３４は、蓄積時の履歴情報および出力時の履歴情報にそれぞれ含まれる画像どうしを比較することにより、出力された画像に対応する蓄積時の履歴情報を特定して削除するよう制御する。
【００５５】
具体的には、制御部３４は、比較対象の２つの画像の各画素どうしの相関値を算出することにより、出力された画像に対応する蓄積時の履歴情報を特定して削除する。
【００５６】
または、制御部３４は、出力時の履歴情報に含まれる属性情報および画像の特徴量が同じ蓄積時の履歴情報を履歴情報格納部３３から削除するよう制御する。
【００５７】
ここで、履歴情報格納部３３に格納される履歴情報に含まれる属性情報としては、ユーザ（操作者）の情報又はファイル名に関する情報を含み、画像の特徴量は、データサイズ又は画像種別の情報を含む。
【００５８】
なお、上記でユーザが画像形成装置２０に画像データを一旦蓄積してから出力する処理の一例として認証プリントが行われる場合を用いて説明した。しかし、画像形成装置２０に画像データを一旦蓄積してから出力する処理としては認証プリント以外の処理も存在する。
【００５９】
例えば、図６に示すように、ユーザが画像形成装置２０においてある文書をスキャンしてユーザ毎の格納領域である親展ボックスに保存して、その後にプリントやＦＡＸ送信するような処理が行われる場合、スキャンした画像を親展ボックスに保存する処理の処理内容が蓄積時の履歴情報として履歴管理サーバ１０に送信される。そして、ユーザが認証を行って親展ボックスに保存されていた画像のプリントやＦＡＸ送信を行った場合に、その処理の処理内容が出力時の履歴情報として履歴管理サーバ１０に送信される。
【００６０】
次に、本実施形態の履歴管理サーバ１０における履歴情報を削除する際の処理について図７のフローチャートを参照して説明する。
【００６１】
履歴管理サーバ１０において画像形成装置２０からの履歴情報を受け付けると（ステップＳ１０１）、制御部３４は、受け付けられた履歴情報が出力時のものであるのか否かの判定を行う（ステップＳ１０２）。
【００６２】
そして、受け付けた履歴情報が出力時のものではない場合（ステップＳ１０２においてｎｏ）、制御部３４は、受け付けた履歴情報を履歴情報格納部３３に格納する（ステップＳ１０５）。
【００６３】
なお、受け付けた履歴情報が出力時のものである場合（ステップＳ１０２においてｙｅｓ）、制御部３４は、その出力時の履歴情報に対応する蓄積時の履歴情報が履歴情報格納部３３に格納されている履歴情報の中に存在するか否かを探す（ステップＳ１０３）。
【００６４】
そして、出力時の履歴情報に対応する蓄積時の履歴情報が履歴情報格納部３３に格納されている履歴情報の中に存在する場合（ステップＳ１０３においてｙｅｓ）、制御部３４は、出力時の履歴情報に対応する全ての蓄積時の履歴情報を履歴情報格納部３３から削除する（ステップＳ１０４）。
【００６５】
なお、出力時の履歴情報に対応する蓄積時の履歴情報が履歴情報格納部３３に格納されていない場合（ステップＳ１０３においてｎｏ）、制御部３４は、その出力時の履歴情報を履歴情報格納部３３に格納する（ステップＳ１０５）。
【００６６】
このようにして出力時の履歴情報に対応する蓄積時の履歴情報が削除される様子について図８を参照して説明する。
【００６７】
図８では、蓄積時の履歴情報８１〜８５が履歴情報格納部３３に格納されている状態で、出力時の履歴情報９１〜９３を制御部３４が受付けた場合に行われる削除処理の例が示されている。
【００６８】
例えば、出力時の履歴情報９１を受け付けた制御部３４は、この出力時の履歴情報９１に対応する蓄積時の履歴情報８１を履歴情報格納部３３から削除する処理を行う。
【００６９】
そして、出力時の履歴情報９２を受け付けた制御部３４は、この出力時の履歴情報９２に対応する２つの蓄積時の履歴情報８２、８３の両方を履歴情報格納部３３から削除する処理を行う。
【００７０】
また、出力時の履歴情報９３を受け付けた制御部３４は、この出力時の履歴情報９３に対応する蓄積時の履歴情報８５を履歴情報格納部３３から削除する処理を行う。
【００７１】
ここで、図５を参照すると、蓄積時の履歴情報８４については、対応する出力時の履歴情報が画像形成装置２０から送信されてきていないため、削除されずにそのまま残っているのが分かる。
【００７２】
なお、上記では、制御部３４は、蓄積時の履歴情報に含まれる画像と出力時の履歴情報に含まれる画像を比較することにより、出力時の履歴情報に対応する蓄積時の履歴情報を履歴情報格納部３３から探すものとして説明した。
【００７３】
しかし、図９に示すように、画像形成装置２０において処理を実行した文書データに対しして文書ＩＤのような各文書を個別に識別可能な識別情報を付与するようにして、履歴管理サーバ１０に送信する履歴情報にこの文書ＩＤを含めるようにすれば履歴管理サーバ１０では、比較対象の画像どうしを比較する必要がなくなる。
【００７４】
この場合、制御部３４は、出力時の履歴情報に付与された識別情報と同一の識別情報が付与された蓄積時の履歴情報を履歴情報格納部３３から削除するよう制御するようにすれば良い。
【００７５】
図９では、端末装置５０から画像形成装置２０に対して印刷ジョブを蓄積した際の蓄積時の履歴情報には文書ＩＤが含まれており、画像形成装置２０において蓄積されていた印刷ジョブに対するプリントが実行された際の出力時の蓄積情報にも文書ＩＤが含まれている。
【００７６】
そのため、履歴管理サーバ１０における制御部３４では、蓄積時の履歴情報に含まれる文書ＩＤと、出力時の履歴情報に含まれる文書ＩＤとを比較するだけで、蓄積時の履歴情報と出力時の履歴情報とが対応していることを把握することができる。
【００７７】
[変形例]
上記実施形態では、画像形成装置における処理内容を履歴情報として管理する場合を用いて説明したが、本発明はこれに限定されるものではなく、画像に対して処理を実行する画像形成装置以外の他の装置における処理内容の履歴を管理するような場合でも同様に本発明を適用することができるものである。
【符号の説明】
【００７８】
１０    履歴管理サーバ
１１    ＣＰＵ
１２    メモリ
１３    記憶装置
１４    通信インタフェース（ＩＦ）
１５    ユーザインタフェース（ＵＩ）装置
１６    制御バス
２０    画像形成装置１
３０    ネットワーク
３１    通信部
３３    履歴情報格納部
３４    制御部
３５    検索部
４０    端末装置
５０    端末装置
８１〜８５    履歴情報
９１〜９３    履歴情報
【図１】
2020027505.tif 000003
【図２】
2020027505.tif 000004
【図３】
2020027505.tif 000005
【図４】
2020027505.tif 000006
【図５】
2020027505.tif 000007
【図６】
2020027505.tif 000008
【図７】
2020027505.tif 000009
【図８】
2020027505.tif 000010
【図９】
2020027505.tif 000011